(57)【要約】【課題】ユーザが要求する再生要求時間に適した複数の記録データを取得して再生可能な記録データ再生装置等を提供する。【解決手段】本願の記録データ再生装置Ｓは、再生可能な記録データを、当該記録データの再生時間を示す再生時間情報と共に記憶する記憶手段４と、ユーザが要求する再生要求時間を取得する再生要求時間取得手段６と、前記再生時間情報を参照して前記記憶部から記録データを取得する際の前記再生時間の合計が前記再生要求時間にほぼ一致するように前記記憶部から前記記録データを取得する記録データ取得手段１０と、前記取得した記録データを再生する再生手段８と、を具備する。【選択図】図１
2009245547.tif 000002
【特許請求の範囲】
【請求項１】
再生可能な記録データを、当該記録データの再生時間を示す再生時間情報と共に記憶する記憶手段と、
ユーザが要求する再生要求時間を取得する再生要求時間取得手段と、
前記再生時間情報を参照して前記記憶手段から記録データを取得する際の前記再生時間の合計が前記再生要求時間にほぼ一致するように前記記憶手段から前記記録データを取得する記録データ取得手段と、
前記取得した記録データを再生する再生手段と、
を具備することを特徴とする記録データ再生装置。
【請求項２】
前記取得した記録データが複数存在し、当該取得した記録データを順次再生し、前記記録データを再生中に、前記取得した記録データのうち再生がスキップされたか否かを判断する判断手段と、
前記判断の結果、記録データのうち再生がスキップされたものがある場合に、前記再生要求時間を満たすための新たな再生要求時間を算出する再生要求時間算出手段と、
前記再生時間情報を参照して前記記憶手段から記録データを取得する際の前記再生時間の合計が前記再生要求時間に一致するように前記記憶手段から新たな前記記録データを取得する新規記録データ取得手段と、を具備し、
前記再生手段は、前記記録データ取得手段により取得した記録データを再生後、前記新たに取得した記録データを再生することを特徴とする請求項１に記載の記録データ再生装置。
【請求項３】
前記取得したすべての記録データを再生後、電源が切断されることを特徴とする請求項１乃至２のいずれか一項に記載の記録データ再生装置。
【請求項４】
前記記録データ取得手段により取得した複数の記録データを、各記録データに対応づけられている前記再生時間情報を参照して前記取得したすべての記録データの再生に要する再生時間と共にグループ化して記憶するグループ記憶手段と、
当該再生要求時間取得手段により取得した再生要求時間と前記グループに対応づけられた再生時間とを比較する比較手段と、
前記比較した結果、前記再生時間が所定の閾値の範囲内で一致するグループを抽出するグループ抽出手段と、を具備し、
前記再生手段は、前記グループ抽出手段により所定のグループが抽出されたときは、抽出された前記グループの記録データを順次再生することを特徴とする請求項２乃至３のいずれか一項に記載の記録データ再生装置。
【請求項５】
前記再生要求時間取得手段は、ユーザが操作することにより、再生要求時間の測定開始、測定終了の処理によって算出した結果に基づいて設定されることを特徴とした
請求項１乃至４の記録データ再生装置。
【請求項６】
前記再生要求時間取得手段は、ユーザ操作により、電源のオン・オフを自動計測し、電源継続時間の平均時間に基づいて設定されることを特徴とした
請求項１乃至４の記録データ再生装置。
【請求項７】
再生可能な記録データを、当該記録データの再生時間を示す再生時間情報と共に記憶する記憶手段を具備し、当該記録データを再生する記録データ再生方法であって、
ユーザが要求する再生要求時間を取得する再生要求時間取得工程と、
前記再生時間情報を参照して前記記憶手段から記録データを取得する際の前記再生時間の合計が前記再生要求時間にほぼ一致するように前記記憶手段から前記記録データを取得する記録データ取得工程と、
前記取得した記録データを再生する再生工程と、
を具備することを特徴とする記録データ再生方法。
【請求項８】
再生可能な記録データを、当該記録データの再生時間を示す再生時間情報と共に記憶する記憶手段を具備し、当該記録データを再生するコンピュータを、
ユーザが要求する再生要求時間を取得し、
前記再生時間情報を参照して前記記憶手段から記録データを取得する際の前記再生時間の合計が前記再生要求時間にほぼ一致するように前記記憶手段から前記記録データを取得し、
前記取得した記録データを再生するように機能させることを特徴とする記録データ再生プログラム。
【請求項９】
請求項８に記載の記録データ再生プログラムがコンピュータ読み取り可能に記録されていることを特徴とする記録媒体。
【発明の詳細な説明】
【技術分野】
【０００１】
本願は、楽曲データなど再生可能な記録データを再生する記録データ再生装置等の技術分野に関する。
【背景技術】
【０００２】
従来、ポータブルオーディオプレーヤと一般的に称される音楽再生装置は、予め記憶されている複数の楽曲データを所定の順序で再生する機能を備えている。この機能は、複数の楽曲データを１つのグループにまとめて記憶しておき、そのグループの選択によって当該グループの楽曲データが順次再生されるものである。なお、グループに複数の楽曲データをまとめる作業は、一般的にユーザが手作業にて楽曲データを選択して行っていた。
【０００３】
近年では、複数の楽曲データを自動的にグループとしてまとめることが可能な音楽再生装置が知られている。当該音楽装置は、曲調やアーティスト名などの条件の基で、複数の楽曲データを関連づけて１つのグループにまとめて記憶しておき、当該グループの選択によって当該グループの楽曲データを再生するものである（例えば、特許文献１及び２参照）。
【０００４】
一方、上記ポータブルオーディオプレーヤは、通勤や通学時に使用されることが多い。
【０００５】
【特許文献１】特開２００６−３０２３６１号公報
【特許文献２】特開２００７−１７２６８６号公報
【発明の開示】
【発明が解決しようとする課題】
【０００６】
しかしながら、従来の音楽再生装置は、期間の経過にともなって楽曲データの記憶量が増し、グループの数も膨大となる。よって、グループに名称をつけたりしない限り、ユーザは個々のグループにどのような楽曲データが収容されているかわからなくなる。名称をグループに付ける作業は面倒であるため、結局、数種類のグループを適宜選択して楽曲データを再生しているのが現状である。このような場合には、記憶部に膨大な記録データが記憶されていても、そのほとんどの記録データが再生されないまま放置されることとなり有効に記憶されている楽曲データを活用できていないことになる。
【０００７】
また、個々のグループに収容されている記録データの再生に要する再生時間は様々であるため、ユーザの通勤や通学中に、グループ内のすべての記録データが再生されてしまったり、グループ内のすべての記録データが再生されないまま切断されたりする場合がある。このような場合には、ユーザは再度他のグループを選択する必要があったり、グループ内のすべての記録データを聞けなかったりする。
【０００８】
そこで、本願は上記問題を課題の一例として為されたもので、ユーザが要求する再生要求時間に適した記録データを取得して再生可能な記録データ再生装置等を提供することを目的とする。
【課題を解決するための手段】
【０００９】
上記課題を解決するために、請求項１に記載の記録データ再生装置は、再生可能な記録データを、当該記録データの再生時間を示す再生時間情報と共に記憶する記憶手段と、ユーザが要求する再生要求時間を取得する再生要求時間取得手段と、前記再生時間情報を参照して前記記憶手段から記録データを取得する際の前記再生時間の合計が前記再生要求時間にほぼ一致するように前記記憶手段から前記記録データを取得する記録データ取得手段と、前記取得した記録データを再生する再生手段と、を具備することを特徴とする。
【００１０】
また、請求項７に記載の記録データ再生方法は、再生可能な記録データを、当該記録データの再生時間を示す再生時間情報と共に記憶する記憶手段を具備し、当該記録データを再生する記録データ再生方法であって、ユーザが要求する再生要求時間を取得する再生要求時間取得工程と、前記再生時間情報を参照して前記記憶手段から記録データを取得する際の前記再生時間の合計が前記再生要求時間にほぼ一致するように前記記憶手段から前記記録データを取得する記録データ取得工程と、前記取得した記録データを再生する再生工程と、を具備することを特徴とする。
【００１１】
また、請求項８に記載の記録データ再生プログラムは、再生可能な記録データを、当該記録データの再生時間を示す再生時間情報と共に記憶する記憶手段を具備し、当該記録データを再生するコンピュータを、ユーザが要求する再生要求時間を取得し、前記再生時間情報を参照して前記記憶手段から記録データを取得する際の前記再生時間の合計が前記再生要求時間にほぼ一致するように前記記憶手段から前記記録データを取得し、前記取得した記録データを再生するように機能させることを特徴とする。
【００１２】
また、請求項９に記載の記録媒体は、請求項８に記載の記録データ再生プログラムがコンピュータ読み取り可能に記録されていることを特徴とする。
【発明を実施するための最良の形態】
【００１３】
以下、本願の最良の実施形態について添付図面に基づいて説明する。なお、本願の記録データ再生装置は、一例として、携帯可能な音楽再生機能を有する電子装置（以下、「音楽再生装置Ｓ」と称する。）に適用したものである。
【００１４】
−音楽再生装置Ｓの構成等−
まず、図１を参照して、本実施形態における音楽再生装置Ｓの構成について説明する。図１は音楽再生装置のハードウェア構成の一例を示す構成図である。
【００１５】
図１に示すように、音楽再生装置Ｓは、ユーザの操作を受け付ける操作部２、楽曲データ等を記憶するＨＤＤ(Hard Disk Drive)等の記憶部４、ユーザが要求する楽曲データの再生要求時間を測定する時間測定部６と、楽曲データを再生処理する再生処理部８、所定の情報を表示する表示部９、及び各部を制御する制御部１０を含んで構成されている。
【００１６】
操作部２は、ユーザからの操作（指示）を受け付け、制御部１５に出力されるようになっている。例えば、操作部４は、所定のキーを備えて構成され、そのキーの操作により、複数の楽曲データを自動的に選択して再生する自動再生指示を受け付けたり、複数のグループから１のグループを選択するグループ選択指示を受け付けたりする。
【００１７】
記憶部４は、複数の楽曲データを記憶する楽曲リストデータベース（以下、「楽曲リストＤＢ４ａ」と称する。）と、複数の楽曲データをまとめてグループ化したファイルを記憶するグループリストデータベース（以下、「グループリストＤＢ４ｂ」と称する）と、を備えている。
【００１８】
楽曲リストＤＢ４ａに記憶されている楽曲データは、楽曲そのものを示す楽曲データと、その楽曲データの属性を示す属性データと、を含んで構成されている。当該属性データには、例えば、楽曲の再生に要する再生時間、ジャンル、アーティスト名などの情報を含んでいる。
【００１９】
一方、グループリストＤＢ４ｂに記憶されているファイルは、複数の楽曲データと、そのすべての楽曲データを再生した時の再生時間情報と、を含んで構成されている。
【００２０】
時間測定部６は、時計機能を有しており、ユーザが操作部を操作して、測定開始及び測定終了の操作を行うことで、測定開始から測定終了までの電源継続時間を測定するものである。なお、電源のオン・オフで、電源オンからオフまでの時間を自動的に測定するようにしても構わない。また、電源のオンからの測定ではなく、再生開始から電源オフまでの時間の測定でもよく、さらに、ある一定の連続再生時間を測定するものでもよい。この測定は、例えば、ユーザの通勤や通学時などに行われることが好ましい。
【００２１】
なお、同一条件のもとで時間の測定を複数回行ない、その平均を算出するようにしても構わない。
【００２２】
再生処理部８は、制御部１５の制御の元でグループリストＤＢ４ｂに記憶されている所定のファイルに格納された楽曲データを順次読み出して、当該楽曲データを再生処理し、図示しないスピーカによって楽曲データを音声として出力させる。
【００２３】
表示部１０は、所定の情報を表示する表示画面を有しており、制御部１５の制御で各種処理データを画面表示する。
【００２４】
制御部１５は、コンピュータとして、演算機能を有するＣＰＵ（Central Processing Unit）、作業用ＲＡＭ、不揮発性メモリ、及び各種処理プログラムやデータを記憶するＲＯＭ等を備えて構成され、音楽再生装置Ｓ全体を統括制御する。そして、ＣＰＵが例えばＲＯＭ等に記憶されたグループ生成処理プログラムや音楽再生処理プログラムを実行（グループ生成処理アプリケーションや音楽再生アプリケーションを起動）することにより、コンピュータが音楽再生装置Ｓとして機能するようになっている。このグループ生成処理プログラム及び音楽再生処理プログラムは、ユーザからの指示に基づいて音楽再生装置Ｓの制御部１５が行う処理プログラムである。具体的には、グループ生成プログラムは、操作部２からの操作指示に従って、ユーザが要求する再生要求時間を測定し、その測定された再生要求時間に応じて記憶部から複数の記録データを取得し、グループ化する処理を行うものである。また、音楽再生処理プログラムは、操作部２からの楽曲データ自動再生指示に従って、グループリストＤＢ４ｂに記憶されている所定のファイルに格納された楽曲データを順次再生処理するものである。
【００２５】
なお、本実施形態における楽曲データ再生装置は、本願の記録データ再生装置を構成し、本実施形態における記憶部４は、本願の記憶手段、及びグループ記憶手段を構成する。また、本実施形態の時間測定部６は、本願の再生要求時間取得手段を構成し、本実施形態の制御部１０は、本願の記録データ取得手段、判断手段、再生要求時間算出手段、新規記録データ取得手段、比較手段、及びグループ抽出手段を構成する。また、本実施形態の再生処理部８は、本願の再生手段を構成し、本実施形態の操作部２は、本願のグループ選択手段を構成する。
【００２６】
−音楽再生装置Ｓの動作−
次に、本実施形態の音楽再生装置Ｓにおけるグループ生成処理の動作例について制御部を主体として図２を用いて説明する。図２は音楽再生装置におけるグループ生成処理の動作例を示すフローチャート図である。なお、理解し易いように、図１に対応する部分に符号を付することとするがこれにより実施形態が限定されるものではない。
【００２７】
まず、制御部１０は、操作部２の操作によって送信される時間測定開始指示を受信し、時間測定部６によって再生要求時間の測定を開始する（ステップＳ１）。
【００２８】
次に、制御部１０は、操作部２の操作によって送信される時間測定終了指示を受信し、時間測定部６によって再生要求時間の測定を終了する（ステップＳ２）。
【００２９】
次に、制御部１０は、時間測定部６によって算出される時間測定開始から終了までの時間（再生要求時間）を記憶部４に一時的に記憶する（ステップＳ３）。
【００３０】
次に、制御部１０は、再生要求時間に従って楽曲リストＤＢ４ａから各楽曲データに対応づけられる再生時間情報を参照しつつ複数の楽曲データを選択し、当該複数の楽曲データの合計再生時間が当該再生要求時間にほぼ一致するように複数の楽曲データを取得する（ステップＳ４）。
【００３１】
当該楽曲データの取得は、例えば、楽曲リストＤＢ４ａに記憶されている楽曲データの順に取得する。このようにすれば、記憶部４に記憶されている楽曲データを万遍なく取得することが可能となる。
【００３２】
次に、制御部１０は、取得した複数の楽曲データをグループ化し（ステップＳ５）、グループリストＤＢ４ｂにファイルとして記憶し、グループ生成処理を終了する。なお、ファイル毎に、そのファイルに格納されている楽曲データを再生した時の合計再生時間情報が属性データとして対応づけられる。
【００３３】
なお、複数回にわたって再生要求時間を取得する場合には、時間測定部６によって各回で取得した再生要求時間の平均を算出し、その平均値を属性データとしてファイルに対応づけるようになっている。このようにすれば、時間測定における誤差を抑えることができるので、より正確な時間で楽曲リストを取得することが可能となる。
【００３４】
また、楽曲データの取得は、操作部２によってジャンルやアーティスト名を指示して、当該ジャンルやアーティスト名にて楽曲データを選択して取得するようにしても構わない。このようにすれば、ユーザの好みでグループ分けを行うことが可能である。
【００３５】
さらに、再生要求時間において複数のグループ（ファイル）を作成する場合には、すでにグループ化された楽曲データが除かれて、他の楽曲データが取得されることが好ましい。このようにすれば楽曲データが重複されることを防止でき、楽曲データを万遍なく取得することが可能である。
【００３６】
以上に説明したように、本実施形態の音楽再生装置Ｓにおけるグループ生成処理によれば、グループ化された楽曲データの再生時間がユーザの再生要求時間とほぼ一致するようになっているので、ユーザの再生要求時間に適したファイルが生成されるため、例えば、ユーザが通勤中に音楽再生装置を用いる場合には、通勤にかかる時間に適したファイルを選択することで、ほぼ会社に到着と同時に楽曲データのすべてが再生終了されることとなり便利である。また、本実施形態によれば、所定の時間長に適した楽曲データのグループ分けを行うことが可能である。
【００３７】
次に、本実施形態の音楽再生装置Ｓにおける再生処理の動作例について制御部を主体として図３を用いて説明する。図３は音楽再生装置における楽曲データの再生処理の動作例を示すフローチャート図である。なお、理解し易いように、図１に対応する部分に符号を付することとするがこれにより実施形態が限定されるものではない。
【００３８】
はじめに、本実施形態における音楽再生装置Ｓは、利用者が操作部２を使用して自動再生機能の視聴を選択することで、情報再生装置Ｓに対して楽曲データ（グループ化されたファイル）の選択要求が行われる。そして、予め定められたファイルが選択されて当該ファイルに格納された楽曲データの自動再生処理が開始されるようになっている。
【００３９】
まず、制御部１０は、予め定められたファイルを選択し（ステップＳ１１）、そのファイルに格納された楽曲データの自動再生処理を受け付ける。
【００４０】
次に、制御部１０は、グループリストＤＢ４ｂから選択されたファイルを抽出するとともに、そのファイルに格納された楽曲データを抽出し、当該楽曲データを順次再生する（ステップＳ１２）。
【００４１】
次に、制御部１０は、再生されている楽曲データにスキップ処理などファイル（グループ）内にある楽曲データを１曲全て再生しなかったかどうかの判断を行う（ステップＳ１３）。この判断が肯定されれば、ステップＳ１４に進み、否定されれば、ステップＳ１７に進む。
【００４２】
次に、ステップＳ１４では、制御部１０は、完全に再生が完了しなかった楽曲データの再生時間を取得し、当該再生要求時間を満たす為の時間(新たな再生要求時間)を算出する。あるいは、新たな再生要求時間は、再生完了した楽曲データの総時間と、グループ化した楽曲データでまだ再生していない楽曲データの総時間と、再生要求時間とにより算出することも可能である。あるいは、新たな再生要求時間は、スキップ処理等をして再生を完了しなかった楽曲の残りの時間を算出して、残りの時間に相当する時間を算出することも可能である。
【００４３】
次に、制御部１０は、新たな再生要求時間に従って楽曲リストＤＢ４ａから各楽曲データに対応づけられる再生時間情報を参照しつつ複数の楽曲データを新たに選択し、当該複数の楽曲データの合計再生時間が当該新たな再生要求時間に一致するように新たな楽曲データを取得する（ステップＳ１５）。あるいは、スキップ処理した時間に相当する時間に応じて、楽曲リストＤＢ４ａから新たな楽曲データを取得しても構わない。
【００４４】
次に、制御部１０は、新たに取得した楽曲データをファイル（グループ）に追加する（ステップＳ１６）。
【００４５】
次に、制御部１０は、最後の楽曲データ又は新たに取得した楽曲データの再生終了後、電源を切断し（ステップＳ１７）、再生処理の動作を終了する。
【００４６】
なお、楽曲のスキップ処理などによって１曲すべて再生しなかった楽曲データがある場合には、次回にグループ生成処理を行なう際の楽曲データを取得する時に、当該再生されていない楽曲データを優先的に取得するようにすることが好ましい。このようにすれば、楽曲データを万遍なく取得し再生することが可能である。
【００４７】
また、グループリストＤＢ４ｂに複数のファイルが存在する場合には、ユーザが操作部２を用いて再生要求時間を入力などすることで、制御部１０が、当該再生要求時間と、グループリストＤＢ４ｂに記憶されている複数のファイルに対応づけられている再生時間と、を比較し、その結果、再生時間が所定の閾値（例えば、３分）の範囲内で一致するグループを抽出して、再生処理部８によって当該ファイルに格納された楽曲データを順次再生するようにしても構わない。この時、最適なファイルが抽出できない場合には、各ファイルに対応づけられている再生時間が再生要求時間に最も近い１のファイルが選択されるようにすれば良い。
【００４８】
さらに、制御部１０は、各グループに対応づけられている再生時間情報を表示部９に表示し、ユーザが操作部２を用いて再生要求時間に近似するグループを選択可能にしても構わない。
【００４９】
以上に説明したように、上記実施形態の本願の音楽再生装置Ｓにおける再生処理では、グループリストＤＢ４ｂに記憶されているファイルの中から、ユーザが要求する再生要求時間とほぼ一致する再生時間を有するファイルを抽出し、そのファイルに格納されている楽曲データを再生するようになっており、しかも当該楽曲データを再生した後は電源が自動的に切断されるようになっているので、ユーザは余計な操作をすることなく、例えば、通勤や通学時に会社や学校に到着後、楽曲データの再生が終了することとなり使い勝手が良い。
【００５０】
なお、本実施形態は一形態であって、この形態に限定されるものではなく、例えば、本実施形態において、記録データは楽曲データとして記載されているが、動画データなどであっても構わない。
【００５１】
また、本実施形態の携帯可能な音楽再生機能を有する電子機器には、携帯電話機なども含まれ、音楽再生機能を有していれば良い。
【００５２】
さらに、楽曲データを抽出して自動再生する場合において、抽出された順番に再生するようになっているが、例えば、ランダムに再生するようにしても構わない。
【００５３】
さらにまた、本実施形態の音楽再生装置Ｓは、携帯可能な音楽再生機能を有する電子機器に適用したものを例示しているが、家庭用のオーディオ機器、カーオーディオ、パソコンなどにも適用可能である。
【００５４】
またさらに、本実施形態の音楽再生装置Ｓでは、ユーザの再生要求時間に応じて楽曲データを抽出してグループ化しているが、必ずしもグループ化する必要はなく、ユーザの再生要求時間に応じて楽曲データを抽出して再生するようにしても構わない。
【図面の簡単な説明】
【００５５】
【図１】音楽再生装置のハードウェア構成の一例を示す構成図である。
【図２】音楽再生装置におけるグループ生成処理の動作例を示すフローチャート図である。
【図３】音楽再生装置における楽曲データの再生処理の動作例を示すフローチャート図である。
【符号の説明】
【００５６】
Ｓ  記録データ再生装置
２  操作部
４  記憶部
４ａ  楽曲リストＤＢ
４ｂ  グループリストＤＢ
６  時間測定部
８  再生処理部
１０  制御部
【図１】
2009245547.tif 000003
【図２】
2009245547.tif 000004
【図３】
2009245547.tif 000005